(57)【特許請求の範囲】
【請求項１】
部分画像記憶部に記憶されている複数の部分画像を組み合わせて作成された生命体画像を表示部に表示させるように制御する画像表示制御装置において、
前記表示部に表示される生命体画像を構成している各部分画像を指定するための各指定データと当該生命体画像の氏名、年令および身長を含む個人データとを対応付けて記憶しているデータ記憶手段と、
入力された検索データに基づいて、前記データ記憶手段に記憶されている個人データが検索された結果、前記検索データと一致する個人データがあったことを条件として、この一致する個人データに対応する各指定データにより指定される各部分画像を前記部分画像記憶部から読み出し、この読み出された各部分画像を組み合わせて作成された生命体画像と前記一致する個人データとを前記表示部に表示させる表示制御手段と、
印刷を行う際に操作される印刷操作手段と、
この印刷操作手段が操作されると、これに応答して、前記データ記憶手段に記憶されている年令または身長に応じた大きさで前記表示制御手段の制御により表示されている生命体画像を印刷するように制御する印刷制御手段と、
を備えていることを特徴とする画像表示制御装置。
【請求項２】
部分画像記憶部に記憶されている複数の部分画像を組み合わせて作成された生命体画像を表示部に表示させるように制御する画像表示制御装置において、
前記表示部に表示される生命体画像を構成している各部分画像を指定するための各指定データと当該生命体画像の氏名、年令および身長を含む個人データとを対応付けて記憶しているデータ記憶手段と、
入力された検索データに基づいて、前記データ記憶手段に記憶されている個人データが検索された結果、前記検索データと一致する個人データがあったことを条件として、この一致する個人データに対応する各指定データにより指定される各部分画像を前記部分画像記憶部から読み出し、この読み出された各部分画像を組み合わせて作成された生命体画像と前記一致する個人データとを前記表示部に表示させる表示制御手段と、
印刷を行う際に操作される印刷操作手段と、
この印刷操作手段が操作されると、これに応答して、前記データ記憶手段に記憶されている年令または身長に応じた大きさで前記表示制御手段の制御により表示されている生命体画像を印刷するように制御する印刷制御手段と、
を備えていることを特徴とする画像表示制御装置。
【請求項３】
部分画像記憶部に記憶されている複数の部分画像を組み合わせて作成された生命体画像を表示部に表示させるように制御する画像表示制御装置において、
前記生命体画像に対応する氏名および電話番号を含む個人データを入力する入力手段と、
この入力手段により入力される個人データに対応する生命体画像を複数の部分画像を組み合わせて作成する作成手段と、
この作成手段により作成された生命体画像を構成している各部分画像を指定するための各指定データと当該生命体画像の個人データとを対応付けて記憶するデータ記憶手段と、
入力された検索データに基づいて、前記データ記憶手段に記憶されている個人データが検索された結果、前記検索データと一致する個人データがあったことを条件として、この一致する個人データに対応する各指定データにより指定される各部分画像を前記部分画像記憶部から読み出し、この読み出された各部分画像を組み合わせて作成された生命体画像と前記一致する個人データとを前記表示部に一括表示させる表示制御手段とを備えており、
前記個人データは、更に年令および身長を含み、この年令または身長に応じた大きさで前記表示制御手段の制御により表示されている生命体画像を印刷するように制御する印刷制御手段を更に備えていることを特徴とする画像表示制御装置。
【請求項４】
部分画像記憶部に記憶されている複数の部分画像を組み合わせて作成された生命体画像を表示部に表示させるように制御する画像表示制御装置において、
前記生命体画像に対応する氏名および電話番号を含む個人データを入力する入力手段と、
前記入力手段により入力される個人データに対応する生命体画像を複数の部分画像の組み合わせで作成する作成手段と、
この作成手段により作成された生命体画像を構成している各部分画像を指定するための各指定データと当該生命体画像の個人データとを対応付けて記憶するデータ記憶手段と、
入力された検索データに基づいて、前記データ記憶手段に記憶されている個人データが検索された結果、前記検索データと一致する個人データがあったことを条件として、この一致する個人データに対応する各指定データにより指定される各部分画像を前記部分画像記憶部から読み出し、この読み出された各部分画像を組み合わせて作成された生命体画像と前記一致する個人データとを前記表示部に一括表示させる表示制御手段とを備えており、
前記個人データは、更に年令および身長を含み、この年令または身長に応じた大きさで前記表示制御手段の制御により表示されている生命体画像を印刷するように制御する印刷制御手段を更に備えていることを特徴とする画像表示制御装置。
【請求項５】
請求項１に記載の画像表示制御装置において、前記生命体画像は、顔画像または全身画像のいずれかであることを特徴とする画像表示制御装置。
【請求項６】
請求項２に記載の画像表示制御装置において、前記生命体画像は、顔画像または全身画像のいずれかであることを特徴とする画像表示制御装置。
【請求項７】
請求項３に記載の画像表示制御装置において、前記生命体画像は、顔画像または全身画像のいずれかであることを特徴とする画像表示制御装置。
【請求項８】
請求項４に記載の画像表示制御装置において、前記生命体画像は、顔画像または全身画像のいずれかであることを特徴とする画像表示制御装置。
【請求項９】
請求項１から請求項４のいずれかに記載の画像表示制御装置において、更に、前記表示制御手段の制御により前記表示部に表示されている生命体画像の少なくとも一部を修正するために、当該生命体画像を構成する各部分画像のうちの少なくとも一つの部分画像を、前記部分画像記憶手段に記憶されている他の部分画像に置き換え、この置き換えられた後の生命体画像を前記表示部に表示させる置き換え制御手段を備えていることを特徴とする画像表示制御装置。
【請求項１０】
部分画像記憶部に記憶されている複数の部分画像を組み合わせて作成された生命体画像を表示部に表示させるように制御する画像表示制御方法において、
入力された検索データに基づいて、前記表示部に表示される生命体画像を構成している各部分画像を指定するための各指定データと当該生命体画像の氏名、年令および身長を含む個人データとを対応付けて記憶しているデータ記憶手段をアクセスし、このデータ記憶手段に記憶されている個人データを検索する検索ステップと、
この検索ステップによる検索が実行された結果、前記検索データと一致する個人データがあったことを条件として、この一致する個人データに対応する各指定データにより指定される各部分画像を前記部分画像記憶部から読み出し、この読み出された各部分画像を組み合わせて作成された生命体画像と前記一致する個人データとを前記表示部に表示させる表示制御ステップと、
印刷を行う際に操作される印刷操作手段が操作されると、これに応答して、前記データ記憶手段に記憶されている年令または身長に応じた大きさで前記表示制御ステップにより表示されている生命体画像を印刷するように制御する印刷制御ステップと、
を備えていることを特徴とする画像表示制御方法。
【請求項１１】
部分画像記憶部に記憶されている複数の部分画像を組み合わせて作成された生命体画像を表示部に表示させるように制御する画像表示制御方法において、
入力された検索データに基づいて、前記表示部に表示される生命体画像を構成している各部分画像を指定するための各指定データ、当該生命体画像の氏名、年令および身長を含む個人データとを対応付けて記憶しているデータ記憶手段をアクセスし、このデータ記憶手段に記憶されている個人データを検索する検索ステップと、
この検索ステップによる検索が実行された結果、前記検索データと一致する個人データがあったことを条件として、この一致する個人データに対応する各指定データにより指定される各部分画像を前記部分画像記憶部から読み出し、この読み出された各部分画像を組み合わせて作成された生命体画像と前記一致する個人データとを前記表示部に表示させる表示制御ステップと、
印刷を行う際に操作される印刷操作手段が操作されると、これに応答して、前記データ記憶手段に記憶されている年令または身長に応じた大きさで前記表示制御ステップにより表示されている生命体画像を印刷するように制御する印刷制御ステップと、
を備えていることを特徴とする画像表示制御方法。
【請求項１２】
部分画像記憶部に記憶されている複数の部分画像を組み合わせて作成された生命体画像を表示部に表示させるように制御する画像表示制御方法において、
前記生命体画像の氏名および電話番号を含む個人データを入力するための入力手段により入力される個人データに対応する生命体画像を複数の部分画像を組み合わせて作成する作成ステップと、
この作成ステップにより作成された生命体画像を構成している各部分画像を指定するための各指定データと当該生命体画像の個人データとを対応付けてデータ記憶部に記憶する記憶制御ステップと、
入力された検索データに基づいて、前記データ記憶部に記憶されている個人データが検索された結果、前記検索データと一致する個人データがあったことを条件として、この一致する個人データに対応する各指定データにより指定される各部分画像を前記部分画像記憶部から読み出し、この読み出された各部分画像を組み合わせて作成された生命体画像と前記一致する個人データとを前記表示部に一括表示させる表示制御ステップとを備えており、
前記個人データは、更に年令および身長を含み、この年令または身長に応じた大きさで前記表示制御ステップにより表示されている生命体画像を印刷するように制御する印刷制御ステップを更に備えていることを特徴とする画像表示制御方法。
【請求項１３】
部分画像記憶部に記憶されている複数の部分画像を組み合わせて作成された生命体画像を表示部に表示させるように制御する画像表示制御方法において、
前記生命体画像に対応する氏名および電話番号を含む個人データを入力するための入力手段により入力される個人データに対応する生命体画像を複数の部分画像を組み合わせて作成する作成ステップと、
この作成ステップにより作成された生命体画像を構成している各部分画像を指定するための各指定データと当該生命体画像の個人データとを対応付けてデータ記憶部に記憶する記憶制御ステップと、
入力された検索データに基づいて、前記データ記憶部に記憶されている個人データが検索された結果、前記検索データと一致する個人データがあったことを条件として、この一致する個人データに対応する各指定データにより指定される各部分画像を前記部分画像記憶部から読み出し、この読み出された各部分画像を組み合わせて作成された生命体画像と前記一致する個人データとを前記表示部に一括表示させる表示制御ステップとを備えており、
前記個人データは、更に年令および身長を含み、この年令または身長に応じた大きさで前記表示制御ステップにより表示されている生命体画像を印刷するように制御する印刷制御ステップを更に備えていることを特徴とする画像表示制御方法。
【請求項１４】
請求項１０に記載の画像表示制御方法において、前記生命体画像は、顔画像または全身画像のいずれかであることを特徴とする画像表示制御方法。
【請求項１５】
請求項１１に記載の画像表示制御方法において、前記生命体画像は、顔画像または全身画像のいずれかであることを特徴とする画像表示制御方法。
【請求項１６】
請求項１２に記載の画像表示制御方法において、前記生命体画像は、顔画像または全身画像のいずれかであることを特徴とする画像表示制御方法。
【請求項１７】
請求項１３に記載の画像表示制御方法において、前記生命体画像は、顔画像または全身画像のいずれかであることを特徴とする画像表示制御方法。
【請求項１８】
請求項１０から請求項１３のいずれかに記載の画像表示制御方法において、更に、前記表示制御ステップの制御により前記表示部に表示されている生命体画像の少なくとも一部を修正するために、当該生命体画像を構成する各部分画像のうちの少なくとも一つの部分画像を、前記部分画像記憶手段に記憶されている他の部分画像に置き換え、この置き換えられた後の生命体画像を前記表示部に表示させる置き換え制御ステップを備えていることを特徴とする画像表示制御方法。
【発明の詳細な説明】
【０００１】
【産業上の利用分野】
本発明は、人間や動物等の顔あるいは体全体の画像を表示させる画像表示制御装置および画像表示制御方法に関する。
【０００２】
【従来の技術】
従来、モンタージュ画像作成装置と称されるものが知られている（例えば、特許文献１）。このモンタージュ画像作成装置は、目、鼻、口、眉毛、輪郭、髪型等の人間の顔の各部位ごとに当該部位の形状を表す部分画像（以下、「パーツパターン」という。）を各々複数種記憶したパーツパターンメモリを有している。また、顔のモンタージュ画像の作成の際に、顔の各部位を選択するための部位選択キーと、この部位選択キーの操作により選択された部位を表すパーツパターンを選択するためのパーツパターン選択キー等が設けられている。
そして、任意の顔を作成するために、先ず例えば目から作成する場合には、部位選択キーを押して目の部位を選択する。しかる後に、パーツパターン選択キーを操作して部位選択キーの操作により選択された目の部位に設けられた複数種類のパーツパターンのなかから一種類のパーツパターンを選択する。鼻、口、眉毛、輪郭、髪型に関しても同様の操作を行うことにより、最終的に各部位ごとに選択したパーツパターンの組み合わせに基づいて任意の顔画像を作成することができる。
【０００３】
【特許文献１】
特開平３−１２９５７２号公報
【０００４】
【発明が解決しようとする課題】
しかしながら、従来のモンタージュ画像装置にあっては、前述したように、任意の顔を作成するに際して、顔を構成する各部位ごとになされる部位選択キーの操作とその部位選択キーの操作に続いてなされるパーツパターン選択キーの操作との二つの操作を交互に行う必要があり、よって操作が煩雑となって迅速に任意の顔を作成することができない。
また、前記部位選択キーは顔を構成する各部位とは無関係な位置に配置されており、他方、前記パーツパターン選択キーは前記部位選択キーとは別個独立して配置されていることから、たとえば部位選択を行うつもりであるにもかかわらず、誤ってパーツパターン選択キーを操作してしまうなど、迅速かつ容易に所望のモンタージュ画像を作成することができるものではなかった。
本発明は、このような従来の課題に鑑みてなされたものであり、所望の生命体画像を迅速かつ容易に表示部に表示させることができる画像表示制御装置および画像表示制御方法を提供することを目的とするものである。
【０００５】
【課題を解決するための手段】
この発明は、このような目的を達成するために、次の構成を採用している。なお、各構成要素に括弧して付けた図面参照符号等は、この実施例における図面参照符号等である。
前記課題を解決するために、請求項１記載の発明にかかる画像表示制御装置は、
部分画像記憶部（図４，図５のＲＯＭ１４）に記憶されている複数の部分画像を組み合わせて作成された生命体画像を表示部（図４の表示部４）に表示させるように制御する画像表示制御装置において、
前記表示部に表示される生命体画像を構成している各部分画像を指定するための各指定データと当該生命体画像の氏名、年令および身長を含む個人データとを対応付けて記憶しているデータ記憶手段（図４、図７のＲＡＭ１５；図７の１５５、１５６）と、
入力された検索データに基づいて、前記データ記憶手段に記憶されている個人データが検索された結果、前記検索データと一致する個人データがあったことを条件として、この一致する個人データに対応する各指定データにより指定される各部分画像を前記部分画像記憶部から読み出し、この読み出された各部分画像を組み合わせて作成された生命体画像と前記一致する個人データとを前記表示部に表示させる表示制御手段（図４のＣＰＵ１３；図１３のＳＦ３〜ＳＦ８）と、
印刷を行う際に操作される印刷操作手段（図１、図３の入力部３；［００２９］印刷キー；図１４のＳＧ１）と、
この印刷操作手段が操作されると、これに応答して、前記データ記憶手段に記憶されている年令または身長に応じた大きさで前記表示制御手段の制御により表示されている生命体画像を印刷するように制御する印刷制御手段（図１、図３のＣＰＵ１３；［００３０］；図１４のＳＧ５）と、
を備えていることを特徴とする。
請求項２記載の発明にかかる画像表示制御装置は、
部分画像記憶部に記憶されている複数の部分画像を組み合わせて作成された生命体画像を表示部に表示させるように制御する画像表示制御装置において、
前記表示部に表示される生命体画像を構成している各部分画像を指定するための各指定データと当該生命体画像の氏名、年令および身長を含む個人データとを対応付けて記憶しているデータ記憶手段（図４、図７のＲＡＭ１５；図７の１５５、１５６）と、
入力された検索データに基づいて、前記データ記憶手段に記憶されている個人データが検索された結果、前記検索データと一致する個人データがあったことを条件として、この一致する個人データに対応する各指定データにより指定される各部分画像を前記部分画像記憶部から読み出し、この読み出された各部分画像を組み合わせて作成された生命体画像と前記一致する個人データとを前記表示部に表示させる表示制御手段（図４のＣＰＵ１３；図１３のＳＦ３〜ＳＦ８）と、
印刷を行う際に操作される印刷操作手段（図１、図３の入力部３；［００２９］印刷キー；図１４のＳＧ１）と、
この印刷操作手段が操作されると、これに応答して、前記データ記憶手段に記憶されている年令または身長に応じた大きさで前記表示制御手段の制御により表示されている生命体画像を印刷するように制御する印刷制御手段（図１、図３のＣＰＵ１３；［００３０］；図１４のＳＧ５）と、
を備えていることを特徴とする。
請求項３記載の発明にかかる画像表示制御装置は、
部分画像記憶部に記憶されている複数の部分画像を組み合わせて作成された生命体画像を表示部に表示させるように制御する画像表示制御装置において、
前記生命体画像に対応する氏名および電話番号を含む個人データを入力する入力手段（図１の入力部１２；図８のＳＡ１、図９のＳＢ２）と、
この入力手段により入力される個人データに対応する生命体画像を複数の部分画像の組み合わせで作成する作成手段（図１のＣＰＵ１３；図８のＳＡ２、図１０）と、
この作成手段により作成された生命体画像を構成している各部分画像を指定するための各指定データと当該生命体画像の個人データとを対応付けて記憶するデータ記憶手段（図４、図７のＲＡＭ１５；図７の１５５、１５６）と、
入力された検索データに基づいて、前記データ記憶手段に記憶されている個人データが検索された結果、前記検索データと一致する個人データがあったことを条件として、この一致する個人データに対応する各指定データにより指定される各部分画像を前記部分画像記憶部から読み出し、この読み出された各部分画像を組み合わせて作成された生命体画像と前記一致する個人データとを前記表示部に一括表示させる表示制御手段（図４のＣＰＵ１３；図１３のＳＦ３〜ＳＦ８；［００２７］）とを備えており、
前記個人データは、更に年令および身長を含み、この年令または身長に応じた大きさで前記表示制御手段の制御により表示されている生命体画像を印刷するように制御する印刷制御手段（図１、図３のＣＰＵ１３；［００３０］；図１４のＳＧ５）とを更に備えていることを特徴とする。
【０００６】
請求項４記載の発明にかかる画像表示制御装置は、
部分画像記憶部に記憶されている複数の部分画像を組み合わせて作成された生命体画像を表示部に表示させるように制御する画像表示制御装置において、
前記生命体画像に対応する氏名および電話番号を含む個人データを入力する入力手段（図１の入力部１２；図８のＳＡ１、図９のＳＢ２）と、
前記入力手段により入力される個人データに対応する生命体画像を複数の部分画像の組み合わせで作成する作成手段（図１のＣＰＵ１３；図８のＳＡ２、図１０）と、
この作成手段により作成された生命体画像を構成している各部分画像を指定するための各指定データと当該生命体画像の個人データとを対応付けて記憶するデータ記憶手段（図４、図７のＲＡＭ１５；図７の１５５、１５６）と、
入力された検索データに基づいて、前記データ記憶手段に記憶されている個人データが検索された結果、前記検索データと一致する個人データがあったことを条件として、この一致する個人データに対応する各指定データにより指定される各部分画像を前記部分画像記憶部から読み出し、この読み出された各部分画像を組み合わせて作成された生命体画像と前記一致する個人データとを前記表示部に一括表示させる表示制御手段（図４のＣＰＵ１３；図１３のＳＦ３〜ＳＦ８；［００２７］）とを備えており、
前記個人データは、更に年令および身長を含み、この年令または身長に応じた大きさで前記表示制御手段の制御により表示されている生命体画像を印刷するように制御する印刷制御手段（図１、図３のＣＰＵ１３；［００３０］；図１４のＳＧ５）を更に備えていることを特徴とする。
請求項５記載の発明にかかる画像表示制御装置は、
請求項１に記載の画像表示制御装置において、前記生命体画像は、顔画像または全身画像のいずれかである（［００３３］参照）ことを特徴とする。
請求項６記載の発明にかかる画像表示制御装置は、
請求項２に記載の画像表示制御装置において、前記生命体画像は、顔画像または全身画像のいずれかである（［００３３］参照）ことを特徴とする。
請求項７記載の発明にかかる画像表示制御装置は、
請求項３に記載の画像表示制御装置において、前記生命体画像は、顔画像または全身画像のいずれかである（［００３３］参照）ことを特徴とする。
請求項８記載の発明にかかる画像表示制御装置は、
請求項４に記載の画像表示制御装置において、前記生命体画像は、顔画像または全身画像のいずれかである（［００３３］参照）ことを特徴とする。
請求項９記載の発明にかかる画像表示制御装置は、
請求項１から請求項４のいずれかに記載の画像表示制御装置において、更に、前記表示制御手段の制御により前記表示部に表示されている生命体画像の少なくとも一部を修正するために、当該生命体画像を構成する各部分画像のうちの少なくとも一つの部分画像を、前記部分画像記憶手段に記憶されている他の部分画像に置き換え、この置き換えられた後の生命体画像を前記表示部に表示させる置き換え制御手段（図４のＣＰＵ１３；図１０のＳＣ４〜ＳＣ１５）とを備えていることを特徴とする。
【０００７】
【作用】
請求項１記載の発明によれば、表示部に表示される生命体画像を構成している各部分画像を指定するための各指定データと当該生命体画像の氏名、年令および身長を含む個人データとを対応付けてデータ記憶手段に記憶しているので、検索データに基づいて、前記データ記憶手段に記憶されている個人データが検索された結果、前記検索データと一致する個人データがあったことを条件として、この一致する個人データに対応する各指定データにより指定される各部分画像を前記部分画像記憶部から読み出し、この読み出された各部分画像を組み合わせて作成された生命体画像と前記一致する個人データとを前記表示部に表示させることができる。
そればかりでなく、各部分画像を組み合わせて作成された生命体画像と一致する個人データとを表示部に表示させた後に、印刷を行う際に操作される印刷操作手段が操作されると、これに応答して、データ記憶手段に記憶されている年令または身長に応じた大きさで、表示されている生命体画像を印刷することができる。
請求項２記載の発明によれば、表示部に表示される生命体画像を構成している各部分画像を指定するための各指定データと、当該生命体画像の氏名、年令および身長を含む個人データとを対応付けてデータ記憶手段記憶しているので、入力された検索データに基づいて、記憶されている個人データが検索された結果、前記検索データと一致する個人データがあったことを条件として、この一致する個人データに対応する各指定データにより指定される各部分画像を部分画像記憶部から読み出し、この読み出された各部分画像を組み合わせて作成された生命体画像と前記一致する個人データとを表示部に表示させることができる。
そればかりでなく、各部分画像を組み合わせて作成された生命体画像と一致する個人データとを表示部に表示させた後に、印刷を行う際に操作される印刷操作手段が操作されると、これに応答して、データ記憶手段に記憶されている年令または身長に応じた大きさで、表示されている生命体画像を印刷することができる。
請求項３記載の発明によれば、生命体画像に対応する氏名および電話番号を含む個人データを入力し、この入力される個人データに対応する生命体画像を複数の部分画像の組み合わせで作成し、この作成された生命体画像を構成している各部分画像を指定するための各指定データと当該生命体画像の個人データとを対応付けて記憶した後、入力された検索データに基づいて、記憶されている個人データが検索された結果、前記検索データと一致する個人データがあったことを条件として、この一致する個人データに対応する各指定データにより指定される各部分画像を部分画像記憶部から読み出し、この読み出された各部分画像を組み合わせて作成された生命体画像と前記一致する個人データとを表示部に一括表示させることができる。このため、検索データが入力されると、自動的に、この入力された検索データと一致する個人データとこれに対応する生命体画像とを一括表示させることができ、この結果、個人データとこれに対応する生命体画像とを表示部上で互いに関連付けて視認することができる。
そればかりでなく、個人データとこれに対応する生命体画像とを表示部に表示させた後に、前記個人データに含まれている年令または身長に応じた大きさで、前記表示されている生命体画像を印刷することができる。
【０００８】
また、請求項４記載の発明によれば、生命体画像に対応する氏名および電話番号を含む個人データを入力し、この入力される個人データに対応する生命体画像を複数の部分画像の組み合わせで作成し、この作成された生命体画像と前記入力された個人データとを表示させることができる。また、この作成された生命体画像を構成している各部分画像を指定するための各指定データと当該生命体画像の個人データとを対応付けて記憶した後、入力された検索データに基づいて、前記記憶されている個人データが検索された結果、前記検索データと一致する個人データがあったことを条件として、この一致する個人データに対応する各指定データにより指定される各部分画像を部分画像記憶部から読み出し、この読み出された各部分画像を組み合わせて作成された生命体画像と前記一致する個人データとを表示部に一括表示させるができる。このため、検索データが入力されると、自動的に、この入力された検索データと一致する個人データとこれに対応する生命体画像とを一括表示させることができ、この結果、個人データとこれに対応する生命体画像とを表示部上で互いに関連付けて視認することができる。
そればかりでなく、個人データとこれに対応する生命体画像とを表示部に表示させた後に、前記個人データに含まれている年令または身長に応じた大きさで、前記表示されている生命体画像を印刷することができる。
さらに、請求項１０，請求項１１，および請求項１３記載の発明によれば、請求項１，請求項２，および請求項３記載の発明の場合と同様な作用、効果をもつ。
【０００９】
【実施例】
以下、本発明の一実施例を図にしたがって説明する。
すなわち、図１に示したように、表示印刷装置１は外部ケース２を有しており、外部ケース２の上面には、複数のキーで構成される入力部３、及び液晶表示部４が設けられている。液晶表示部４の側部には、手相用モンタージュ作成キー５と、手相データ入力部６とが配置されている。
手相データ入力部６には、図２に拡大して示したように人間の左手を示す図形６１が描かれている。この左手を示す図形６１において、指紋がある位置に指紋キー６２が配置されているとともに、太陽線上、結婚線上、感情線上、頭脳線上、生命線上、運命線上に、各々に太陽線キー６３、結婚線キー６４、感情線キー６５、頭脳線キー６６、生命線キー６７、及び運命線キー６８が配置されている。
【００１０】
また、外部ケース２の上面側部には、モンタージュデータ入力部７、人物モンタージュ作成キー８、データ入力キー９、及び登録キー１０が設けられており、外部ケース２の側面部には、内部に配置されているプリンタ１８（図４参照）により印刷されたカードＣを外部に排出するための排出口１１が設けられている。前記モンタージュ入力部７は、図３に拡大して示したように、人間の全身を構成する各部位に対応する位置に配置された複数のキー、すなわち、髪型キー７０、眉毛キー７１、目キー７２、耳キー７３、鼻キー７４、輪郭キー７５、口キー７６、両手キー７７、服装キー７８及び両足キー７９で構成されている。
【００１１】
図４は、表示印刷装置１の内部構成を示すブロック図である。
前述した各キーの操作情報は、このブロック図において入力部１２からＣＰＵ１３に入力される。ＣＰＵ１３は、ＲＯＭ１４に記憶されているプログラムやワーク用のＲＡＭ１５に記憶されるデータ等に基づき、この表示印刷装置１において必要となる全ての制御を実行するとともに、前記液晶表示装置４を駆動する表示駆動回路１６を制御する。
さらにＣＰＵ１３は、モンタージュデータや文字データを印刷データに変換処理する印刷変換処理部１７を制御し、プリンタ１８はこの印刷変換処理１７から出力される信号に基づいて動作する。
【００１２】
また、前記ＲＯＭ１４は、前記プログラムを記憶したプログラムＲＯＭ、図５に示した人物用パーツパターンＲＯＭ、図６に示した手相用パーツパターン・結果データＲＯＭとから構成されている。
人物用パーツパターンＲＯＭ（図５）には、前記モンタージュデータ入力部７に設けられた各キー７０〜７９に対応する輪郭、髪形、目・・・両足等の１０部位のパーツパターンデータが各々アドレス０１〜５０までの５０種類ずつ格納されている。
手相用パーツパターン・結果データＲＯＭ（図６）には、手相用パーツパターンデータエリア（Ａ）と結果データエリア（Ｂ）とにエリア区分されている。そして、手相用パーツパターンデータエリア（Ａ）には、前記手相用データ入力部に設けられた各キー６２〜６８に対応する生命線、頭脳線・・・指紋等の７部位のパーツパターンデータが各々０１〜５０までの５０種類ずつ格納されている。また、結果データエリア（Ｂ）には、前記生命線、頭脳線・・・指紋等の７部位のパーツパターンデータごとに、各々０１〜５０までの５０種類の占い結果が記憶されている。
【００１３】
ＲＡＭ１５には、図７に示したように表示レジスタ１５０、データ合成用ワークエリア１５１が設けられているとともに、項目１，２・・・ごとに、本人と家族のデータを記憶するデータエリア１５２が設けられている。
このデータエリア１５２は、甲、乙等の本人のデータを記憶する本人データエリア１５３と、家族１、家族２・・・等の、当該本人の家族のデータを記憶する家族データエリア１５４とで構成されている。
【００１４】
この本人及び家族データエリア１５３，１５４は、住所録・文書データエリア１５５とモンタージュデータエリア１５６、及び手相データエリア１５７に区分されている。
住所録・文書データエリア１５５には、本人または家族の氏名、住所等が記憶され、モンタージュデータエリア１５６には、前記モンタージュ入力部７に設けられた各キー７０〜７９の操作により入力された輪郭、髪型、目・・・等のパーツパターン（部分画像）を指定するための指定データとして、図５に示した０１〜５０のパーツパターンＮＯ．をもって記憶される。
また、手相データエリア１５７には、前記手相用データ入力部６に設けられた各キー６２〜７８の操作により入力された生命線、頭脳線、指紋・・・等のパーツパターン（部分画像）を指定するための指定データとして、図６に示した０１〜５０のパーツパターンＮＯ．をもって記憶される。
【００１５】
次に以上の構成にかかる本実施例の動作について、図８以降に示したフローチャートに従って説明する。
すなわち、図８は本実施例のゼネラルフローであり、先ず住所録・文書データの入力・登録処理を実行する（ＳＡ１）。この住所録・文書データの入力・登録処理は、図９に示したフローにしたがって行われる。
まず、データ入力キー９が操作されたか否かを判別する（ＳＢ１）。データ入力キー９が操作されたならば、液晶表示部４に「氏名、住所、電話？」の表示を行い（ＳＢ２）、これら氏名等が入力されたか否かを判別する（ＳＢ３）。これらのデータが入力済となるまで、ＳＢ２，ＳＢ３のループを繰り返し、この間、ユーザーは入力部３に設けられているキーを操作して氏名等の入力を行う。
【００１６】
そして、氏名等が入力済となった時点で、次に「年令、身長？」の表示を行い（ＳＢ４）、さらに年令及び身長が入力されたか否かを判別する（ＳＢ５）。これらのデータが入力済となるまで、ＳＢ４，ＳＢ５のループを繰り返し、この間ユーザーは同様に入力部３に設けられているキーを操作して年令及び身長の入力を行う。
また、これらデータの入力があった時点で、「文書？」の表示を行った後（ＳＢ６）、当該文書データが入力済となったか否かを判別し（ＳＢ７）、文書データが入力済となった時点で、「家族１の年令、身長？」を表示する（ＳＢ８）。さらに、家族１の年令、身長のデータが入力済となったか否かを判別し（ＳＢ９）、入力済となったならば、以下家族２、家族３等の年令、身長のデータを入力を行う。そして、このような必要なデータが入力されたならば、登録キー１０が操作されたか否かを判別し（ＳＢ１１）、登録キー１０が操作された時点で、これまで入力されたデータをＲＡＭ１５の住所録・文書データエリア１５５に記憶させ（ＳＢ１２）、図８のゼネラルフローに戻る。
【００１７】
図８のゼネラルフローにおいて、ＳＡ１に続くＳＡ２では、人物・手相のモンタージュ作成・登録処理が実行される。
この処理において、人物のモンタージュ作成・登録処理は図１０に示したフロー、手相のモンタージュ作成・登録処理は図１２に示したフローに各々従って行われる。
すなわち、図１０の人物のモンタージュ作成・登録処理のフローは、先ずモンタージュ作成キー８が操作されたことにより実行され（ＳＣ１）、このモンタージュ作成キー８が操作されたならば、初期設定時における人物のモンタージュ画像を表示するために、基本型「０１」を初期設定する（ＳＣ２）。ここで、基本型「０１」とは、図５に示した１輪郭〜１０両足までの各部位の０１列に記憶されているパーツパターンＮＯ．データであり、よって、このＳＣ２の処理により０１列に記憶されている部位「１」の輪郭から部位「１０」の両足までの１０種類で構成される一人分の全パーツパターンＮＯ．データがＲＡＭ１５のモンタージュデータエリア１５６内の各部位エリアに記憶される。
【００１８】
引き続き、データ合成処理（ＳＣ３）が実行されるが、このデータ合成処理は前記基本型「０１」で設定されたパーツパターンＮＯ．データまたは前記モンタージュデータエリア１５３に記憶された各パーツパターンＮＯ．データに基づいて、図１１に示したフローにしたがって行われる。
すなわち、これらパーツパターンＮＯ．データのなかから、まず、輪郭パーツパターンＮＯ．を読み取って（ＳＤ１）、この読み取った輪郭パーツパターンＮＯ．に対応する部分画像であるパーツパターンデータをＲＡＭ１５のデータ合成用エリア１５１に転送し（ＳＤ２）、次に、髪型パーツパターンＮＯ．を読み取って（ＳＤ３）、この読み取った髪型パーツパターンＮＯ．に対応する部分画像であるパーツパターンデータを前記データ合成用エリア１５１に転送する（ＳＤ４）。
さらに、目、鼻、口等の他の部位についても同様の処理を行った後（ＳＤ５）、データ合成用エリア１５１で、前述のようにして、読み取った各部分画像であるパーツパターンデータを合成して構成されたモンタージュ画像を液晶表示部４に表示させる（ＳＤ６）。
よって、前述したモンタージュ作成キー８を操作した直後の初期設定時にあっては、このＳＤ６の処理により液晶表示部４には、図５の部位１の輪郭〜部位１０の両足までの０１列に記憶されている各パーツパターンＮＯ．データに対応したパーツパターンデータで構成される全身の基本型モンタージュ画像が表示される。
【００１９】
一方、図１０のＳＣ３に続くＳＣ４では、まず輪郭キー７５が操作されたか否かを判別し（ＳＣ４）、輪郭キー７５が操作されたならば、その輪郭のパーツパターンＮＯ．を初期設定されている「０１」から「０２」に変更した後（ＳＣ５）、前述したデータ合成処理（ＳＣ３）を実行する。したがって、輪郭キー７５を順次操作すれば、その都度液晶表示部４に表示されている全身モンタージュ画像のなかの、輪郭のパーツパターンのみが順次変更される。このため、輪郭のパーツパターンは５０種類記憶されていることから、輪郭キー７５を連続的に操作することにより、全身モンタージュ画像のなかの輪郭を５０パターン変更することができる。
【００２０】
そして、５０種類の中から希望する輪郭と最も似ている輪郭のパーツパターンが液晶表示部４に表示された時点で、次に髪型キー７０を操作すると、ＳＣ６の判別がＹＥＳとなって、髪型のパーツパターンＮＯ．が変更され（ＳＣ７）、全身モンタージュ画像のなかの、髪型のパーツパターンが変更される。また、髪型パーツも５０種類記憶されていることから、髪型キー７０の操作により全身モンタージュ画像のなかの髪型を５０パターン変更することができる。
【００２１】
以下同様にして、図２に示した目キー７２〜両足キー７９を操作して、作成対象者の各部位と似ているパーツパターンを示すパーツパターンＮＯ．に変更することにより、最初に表示された基本型の人物の全身モンタージュ画像から対象者に似た全身モンタージュ画像に移行する。そして、対象者に似ている全身モンタージュ画像が形成されたならば、ＯＫキー（アルファベットキーで「ＯＫ」と入力することにより行う。）を操作する。すると、ＳＣ１６からＳＣ１７に進み、前述した図９のフローで個人データを入力された被合成者の氏名が記憶されている項目のモンタージュデータエリア１５６に、各パーツパターンＮＯ．が記憶される。
【００２２】
他方、図１２に示した手相のモンタージュ作成・登録処理のフローは、手相用モンタージュ作成キー５がオン操作されることにより実行される（ＳＥ１）。このモンタージュ作成キー８が操作されたならば、初期設定時における手相のモンタージュ画像を表示するために、基本型「０１」を初期設定する（ＳＥ２）。ここで、基本型「０１」とは、図６の手相データエリア（Ａ）において、生命線〜指紋までの７種類の各部位の０１列に記憶されているパーツパターンＮＯ．データであり、よって、このＳＥ２の処理により０１列に記憶されている生命線〜指紋までの７種類のパーツパターンで構成される手相を示すの全パターンＮＯ．データがＲＡＭ１５の手相データエリア１５７内の各部位エリアに記憶される。
【００２３】
引き続き、データ合成処理（ＳＥ３）が実行されるが、このデータ合成処理も前述の場合と同様、前記基本型「０１」で設定されたパーツパターンＮＯ．データ等に基づいて、前述した図１１に示したフローにしたがって行われる。したがって、この初期設定時にあっては、このＳＥ３の処理により、液晶表示部４には、図６の０１列に記憶されている頭脳線、指紋、太陽線、結婚線、頭脳線、運命線、生命線を有する手の基本形モンタージュ画像が表示される。
【００２４】
また、ＳＥ３に続くＳＥ４では、まず、生命線キー６８が操作されたか否かを判別し（ＳＥ４）、生命線キー６８が操作されたならば、生命線パーツＮＯ．を「０１」「０２」変更した後（ＳＥ５）、前述したデータ合成処理（ＳＥ３）を実行する。したがって、生命線キー６８を操作すれば、その都度液晶表示部４に表示されている手相の生命線のパーツパターンが「０１」のものから「０２」のものに変更される。また、生命線パーツは５０種類記憶されていることから、生命線キー６８を連続的に操作することにより、手相の生命線を５０パターン変更することができる。
そして、５０種類の中から最も対象者の生命線に似ている生命線のパターンが液晶表示部４に表示された時点で、次に頭脳線キー６６を操作する。すると、ＳＥ６の判別がＹＥＳとなって、頭脳線のパーツＮＯ．が「０１」から「０２」に変更されて（ＳＤ７）手相の頭脳線のパーツパターンが「０１」のものから「０２」のものに変更される。また、頭脳線パーツも５０種類記憶されていることから、生命線キー６８の操作により手相の頭脳線を５０パターン変更することができる。
【００２５】
以下同様にして、運命線キー６７、感情線キー６５、結婚線キー６４、太陽線キー６３、指紋キー６２を操作して、対象者の手相の各パーツパターンと似ているパーツパターンを示すパーツＮＯ．に変更することにより、最初に表示された手相の基本型モンタージュ画像から対象者の手相に似たモンタージュ画像に移行する。そして、対象者の手相に似ている手相のモンタージュ画像が形成されたならば、ＯＫキー（アルファベットキーで「ＯＫ」と入力することにより行う。）を操作する。すると、ＳＥ１８からＳＥ１９に進み、前述した図９のフローで個人データエリア１５３に入力された者の氏名が記憶されている手相データエリア１５７の各部位エリアに、生命線から指紋までの各パーツパターンＮＯ．が記憶される。
【００２６】
また、ゼネラルフローのＳＡ２に続くＳＡ３では、検索・表示処理を実行し、この検索・表示処理は図１３に示したフローチャートに従って行われる。
すなわち、入力部２に設けられている検索キーが操作されたか否かを判別し（ＳＦ１）検索キーが操作されたならば、液晶表示部４に「検索語？」の表示を行う（ＳＦ２）。すると、ユーザーは表示に従って、予めＲＡＭ１５に記憶してある個人データの名前「甲、乙・・・」のいずれかを、入力部３に設けられているキーの操作により行い、これにより検索データが入力される（ＳＦ３）。次に、先程ＳＦ３で入力された検索データが、個人データのいずれかの名前と一致するか否かを判別する（ＳＦ４）。
【００２７】
そして、両データが一致してキー操作により入力された名前が、ＲＡＭ１５の個人データにあった場合には、対応の住所録、文書データ、モンタージュデータ（複数のパーツパターンＮＯ．）、手相データを読み取り（ＳＦ５）、さらにこの読み取ったパーツパターンＮＯ．に対応する人間の部分画像であるパーツパターンデータ、手相のパーツパターンデータを合成ＲＡＭ（ＲＡＭ１５のデータ合成用エリア１５１）に転送する（ＳＦ６）。
次に、入力された名前の者に、家族データがあるか否かを判別し（ＳＦ７）、家族データがある場合にはＳＦ５〜ＳＦ７のループを繰り返す。これにより、全家族データが読み取られると、この読み取られたデータに基づく住所録、文書とモンタージュ画像とを一括表示する（ＳＦ８）。
したがって、これにより家族全員のモンタージュ画像ＭＧ１、ＭＧ２、ＭＧ３と共に、「東京都…」という住所、「村田○○…」という氏名等の個人データＫＤや「謹賀新年」という文字からなる文書データＢＤが液晶表示部４に表示される（図１７参照）。
【００２８】
次に、入力部３に設けられている手相キーが操作されたか否かを判別し（ＳＦ９）、手相キーが操作されたならば、手相データ（ＮＯ．データ）に基づいて、対応する占い内容データを読み取り（ＳＦ１０）、読み取られたデータに基づく住所録・文書と占い内容データに基づく占い内容を一括表示する（ＳＦ１１）。このＳＦ１１の処理により、液晶表示部４には図１５に示したように、該当する者の手相の画像ＴＧのみならず、氏名、住所の個人データＫＤとともに、手相の各線や指紋の占い結果データＲＤが表示される。
【００２９】
また、ゼネラルフローのＳＡ３に続くＳＡ４では、印刷処理が実行される。この印刷処理は、図１４に示したフローに従って行われる。なお、このフローで用いられるキーは、全て入力部３内に設けられている。
すなわち、先ず印刷キーが操作されたか否かを判別し（ＳＧ１）、印刷キーが操作されたならば、名刺キーが操作されたか否かを判別する（ＳＧ２）。名刺キーが操作された場合には、横印刷と縦印刷のいずれの印刷型式が設定されているかを判別し（ＳＧ３）、縦印刷が設定されている場合には、指定中の住所録データとモンタージュデータとを縦のデータに変換する（ＳＧ４）。すなわち、ＲＡＭ１５には横印刷される場合を想定して各データが記憶されていることから、縦印刷が設定された場合にのみ、ＳＧ４の処理を実行する。
【００３０】
引き続き、年令または身長に応じた大きさ、または指定された大きさでモンタージュ画像を印刷するとともに（ＳＧ５）、住所を倍角で印刷し（ＳＧ６）、氏名を４倍角で印刷する（ＳＧ７）。このＳＧ５〜ＳＧ７の処理により、図１６（Ａ）（Ｂ）に例示したように、横印刷または縦印刷であって、モンタージュ画像が年令に応じた大きさで印刷され、また、住所は倍角、氏名は４倍角で印刷された名刺Ｍがプリントアウトされる。
【００３１】
また、名刺キーが操作されなかった場合には、はがきキーが操作されたか否かを判別する（ＳＧ８）。そして、はがきキーが操作された場合には、横印刷と縦印刷のいずれの印刷型式が設定されているかを判別し（ＳＧ９）、縦印刷が設定されている場合には、指定中の住所録・文書データとモンタージュデータとを縦のデータに変換する（ＳＧ１０）。引き続き、年令または身長に応じた大きさ、または指定された大きさでモンタージュ画像を印刷するとともに（ＳＧ１１）、文書を４倍角で印刷し（ＳＧ１２）、住所・氏名を全角で印刷する（ＳＧ１３）。さらに、家族データがあるか否かを判別し（ＳＧ１４）、家族データがある場合には、当該家族データとそのデータに係るモンタージュデータとを読み取り（ＳＧ１５）、年令または身長に応じた大きさ、または指定された大きさでモンタージュ画像を印刷する（ＳＧ１６）。
すなわち、年令が１００才の場合に最大の大きさで、１才の場合に最小の大きさでモンタージュ画像を印刷する。また、身長が２００ｃｍの場合に最大の大きさで、５０ｃｍの場合に最小の大きさでモンタージュ画像を印刷する。このＳＧ１１〜ＳＧ１６の判別処理により、図１７に例示したように、横印刷または縦印刷であって、文書データＢＤの「謹賀新年」という文字が４倍角であり、個人データＫＤの「住所」の「東京都…」と３人の「氏名」の「村田○  ○○  ○○」とは全角であり、かつ、家族全員のモンタージュ画像ＭＧ１，ＭＧ２、ＭＧ３が年令に応じた大きさで印刷されたはがきＨがプリントアウトされる。
【００３２】
また、はがきキーが操作されなかった場合には、文書キーが操作されたか否かを判別する（ＳＧ１７）。そして、文書キーが操作された場合には、横印刷と縦印刷のいずれの印刷型式が設定されているかを判別し（ＳＧ１８）、縦印刷が設定されている場合には、文書データとモンタージュデータとを縦のデータに変換する（ＳＧ１９）。引き続き、モンタージュキーが操作されたか否かを判別し（ＳＧ２０）、操作された場合には、先に指定された大きさでモンタージュ画像を印刷した後（ＳＧ２１）、指定された大きさの文書データを印刷する（ＳＧ２２）。これに対し、モンタージュキーが操作されなかった場合には、先に指定された大きさで文書データを印刷した後（ＳＧ２３）、後から指定された大きさでモンタージュ画像を印刷する。
よって、モンタージュキーを操作し、あるいは操作しないことにより、印刷されるモンタージュ画像と文書の位置関係を逆にすることができる。
【００３３】
なお、実施例においては生命体として人間の顔あるいは身体を対象としたが、これに限らず動物や植物等の他の生命体を対象としても実施し得ることは勿論である。
【００３４】
【実施の形態の効果】
以上説明したように、この発明実施の形態は、生命体の全部または一部を構成する各部位ごとに設けられているパーツパターン指定手段により指定されたパーツパターンに基づき、生命体の全部または一部を表示するようにした。よって、パーツパターン指定手段を操作することのみにより迅速にパーツパターンに基づく生命体のモンタージュ画像の表示を行うことができる。また、各パーツパターン指定手段は生命体の全部または一部を構成する各部位に対応した位置ごとに設けられていることから、指定しようとする部位と当該部位のパーツパターンとを対応づけて指定することができ、したがって、各部位ごとのパーツパターンの指定の誤操作が発生するおそれはない。よって、パーツパターン指定手段を正確に操作することができ、これにより所望のモンタージュ画像を迅速かつ容易に作成して表示することができる。
【００３５】
また、この発明実施の形態は、人間の全部または一部を構成する各部位ごとに設けられているパーツパターン指定手段により指定されたパーツパターンに基づき、人間の全部または一部と占い結果とを表示するようにした。よって、パーツパターン指定手段を操作することのみにより、パーツパターンに基づく人間の全部または一部のモンタージュ画像と占い結果とを迅速に表示することができる。
【００３６】
【発明の効果】
以上説明したように、請求項１記載の発明によれば、表示部に表示される生命体画像を構成している各部分画像を指定するための各指定データと当該生命体画像の氏名、年令および身長を含む個人データとを対応付けてデータ記憶手段に記憶しているので、検索データに基づいて、前記データ記憶手段に記憶されている個人データが検索された結果、前記検索データと一致する個人データがあったことを条件として、この一致する個人データに対応する各指定データにより指定される各部分画像を前記部分画像記憶部から読み出し、この読み出された各部分画像を組み合わせて作成された生命体画像と前記一致する個人データとを前記表示部に表示させることができる。
そればかりでなく、各部分画像を組み合わせて作成された生命体画像と一致する個人データとを表示部に表示させた後に、印刷を行う際に操作される印刷操作手段が操作されると、これに応答して、データ記憶手段に記憶されている年令または身長に応じた大きさで、前記表示されている生命体画像を印刷することができる。
請求項２記載の発明によれば、表示部に表示される生命体画像を構成している各部分画像を指定するための各指定データと、当該生命体画像の氏名、年令および身長を含む個人データとを対応付けてデータ記憶手段に記憶しているので、入力された検索データに基づいて、記憶されている個人データが検索された結果、前記検索データと一致する個人データがあったことを条件として、この一致する個人データに対応する各指定データにより指定される各部分画像を部分画像記憶部から読み出し、この読み出された各部分画像を組み合わせて作成された生命体画像と前記一致する個人データとを表示部に表示させることができる。
そればかりでなく、各部分画像を組み合わせて作成された生命体画像と一致する個人データとを表示部に表示させた後に、印刷を行う際に操作される印刷操作手段が操作されると、これに応答して、データ記憶手段に記憶されている年令または身長に応じた大きさで、前記表示されている生命体画像を印刷することができる。
請求項３記載の発明によれば、生命体画像に対応する氏名および電話番号を含む個人データを入力し、この入力される個人データに対応する生命体画像を複数の部分画像の組み合わせで作成し、この作成された生命体画像を構成している各部分画像を指定するための各指定データと当該生命体画像の個人データとを対応付けて記憶した後、入力された検索データに基づいて、記憶されている個人データが検索された結果、前記検索データと一致する個人データがあったことを条件として、この一致する個人データに対応する各指定データにより指定される各部分画像を部分画像記憶部から読み出し、この読み出された各部分画像を組み合わせて作成された生命体画像と前記一致する個人データとを表示部に表示させることができる。このため、検索データが入力されると、自動的に、この入力された検索データと一致する個人データとこれに対応する生命体画像とを一括表示させることができ、この結果、個人データとこれに対応する生命体画像とを表示部上で互いに関連付けて視認することができる。
そればかりでなく、個人データとこれに対応する生命体画像とを表示部に表示させた後に、前記個人データに含まれている年令または身長に応じた大きさで、前記表示されている生命体画像を印刷することができる。
【００３７】
また、請求項４記載の発明によれば、生命体画像に対応する氏名および電話番号を含む個人データを入力し、この入力される個人データに対応する生命体画像を複数の部分画像の組み合わせで作成し、この作成された生命体画像と前記入力された個人データとを表示させることができる。また、この作成された生命体画像を構成している各部分画像を指定するための各指定データと当該生命体画像の個人データとを対応付けて記憶した後、入力された検索データに基づいて、前記記憶されている個人データが検索された結果、前記検索データと一致する個人データがあったことを条件として、この一致する個人データに対応する各指定データにより指定される各部分画像を部分画像記憶部から読み出し、この読み出された各部分画像を組み合わせて作成された生命体画像と前記一致する個人データとを表示部に表示させるができる。このため、検索データが入力されると、自動的に、この入力された検索データと一致する個人データとこれに対応する生命体画像とを一括表示させることができ、この結果、個人データとこれに対応する生命体画像とを表示部上で互いに関連付けて視認することができる。
そればかりでなく、個人データとこれに対応する生命体画像とを表示部に表示させた後に、前記個人データに含まれている年令または身長に応じた大きさで、前記表示されている生命体画像を印刷することができる。
これにより所望のモンタージュ画像を迅速かつ容易に作成して表示することができる。
さらに、請求項１０，請求項１１，および請求項１３記載の発明によれば、請求項１，請求項２，および請求項３記載の発明の場合と同様な効果を奏することができる。
【図面の簡単な説明】
【図１】本発明の一実施例を適用した表示印刷装置の外観斜視図である。
【図２】手相データ入力部の詳細を示す拡大図である。
【図３】モンタージュデータ入力部の詳細を示す拡大図である。
【図４】本実施例の全体構成を示すブロック図である。
【図５】人物用パーツパターンＲＯＭの記憶状態を示す模式図である。
【図６】手相用パーツパターン・結果データＲＯＭの記憶状態を示す模式図である。
【図７】ＲＡＭの記憶状態を示す模式図である。
【図８】本実施例のゼネラルフローである。
【図９】住所録・文書データの入力登録処理の内容を示すフローチャートである。
【図１０】人物のモンタージュ作成・登録処理の内容を示すフローチャートである。
【図１１】データ合成の処理内容を示すフローチャートである。
【図１２】手相のモンタージュ作成・登録処理の内容を示すフローチャートである。
【図１３】検索・表示処理の内容を示すフローチャートである。
【図１４】印刷処理の内容を示すフローチャートである。
【図１５】表示結果の一例を示す図である。
【図１６】名刺印刷の一例を示す図である。
【図１７】はがき印刷の一例を示す図である。
【符号の説明】
３  入力部
４  液晶表示部
５  手相用モンタージュ作成キー
６  手相用データ入力部
８  人物モンタージュ作成キー
９  データ入力キー
１３  ＣＰＵ
１４  ＲＯＭ
１５  ＲＡＭ
【図１】
0003603899.tif 000002
【図２】
0003603899.tif 000003
【図３】
0003603899.tif 000004
【図４】
0003603899.tif 000005
【図５】
0003603899.tif 000006
【図６】
0003603899.tif 000007
【図７】
0003603899.tif 000008
【図８】
0003603899.tif 000009
【図９】
0003603899.tif 000010
【図１０】
0003603899.tif 000011
【図１１】
0003603899.tif 000012
【図１２】
0003603899.tif 000013
【図１３】
0003603899.tif 000014
【図１４】
0003603899.tif 000015
【図１５】
0003603899.tif 000016
【図１６】
0003603899.tif 000017
【図１７】
0003603899.tif 000018